(57)【特許請求の範囲】
【請求項１】
前方が開口したキャビネット本体の上部に洗面化粧台が配設され、キャビネット本体内に洗面ボウルからの排水管が収納されてなる洗面化粧台のキャビネットの構造において、キャビネット本体の前面を開閉する前面扉がキャビネット本体内に出し入れ自在に収納される引出しの前板を構成しており、引出しの奥側コーナー部にはキャビネット本体内の排水管を避けるための凹部が設けられ、この凹部内に正方形或いは長方形とした引出しの底板の角部が位置すると共にこの角部が排水管のトラップ部分の下方に挿入され、キャビネット本体の蹴込み部に別の引出しを出し入れ自在に収納し、蹴込み板がこの別の引出しの前板を兼ねるようにしたことを特徴とする洗面化粧台のキャビネットの構造。
【請求項２】
引出しの前板が引出しを前方側に引き出した際に起倒自在となるように構成されていることを特徴とする請求項１記載の洗面化粧台のキャビネットの構造。
【発明の詳細な説明】
【０００１】
【発明の属する技術分野】
本発明は、洗面化粧台のキャビネットの構造に関し、詳しくはキャビネット全体を引出し構造とする技術に関するものである。
【０００２】
【従来の技術】
従来より、洗面化粧台の下部のキャビネット本体の前面に設けた開き戸を開いて、キャビネット内部に物を収納するようにしているが、このような開き戸構造の場合、キャビネット内の奥に収納している物の出し入れが困難であり、特にキャビネット内の前側に物がすでに収納されている場合とか、洗面ボウルの奥行きが大きくその前部がキャビネット本体の上部前方に大きく突出している場合等においては、収納物の出し入れがしにくいという問題がある。
【０００３】
一方、引出し構造とした場合、通常、洗面化粧台の洗面ボウル下のキャビネット内には洗面ボウルからの排水管（Ｓトラップ）が収納されており、この排水管によって引出しの奥行きをキャビネットの奥部まで延ばすことができず、このためキャビネット本体内の奥を有効に使用できず、引出しの収納量が減って使用者にとって不便なものとなる。
【０００４】
【発明が解決しようとする課題】
本発明は上記の点に鑑みてなされたものであり、その目的とするところは、排水管が収納されたキャビネット本体全体を引出し構造としたにもかかわらず、キャビネット本体の奥まで有効に使用でき、収納性と使用性の両方を満足させることができ、さらに部材の合理化によりコスト削減を図ることができる洗面化粧台のキャビネットの構造を提供するにある。
【０００５】
【課題を解決するための手段】
上記課題を解決するために本発明は、前方が開口したキャビネット本体１の上部に洗面化粧台２が配設され、キャビネット本体１内に洗面ボウル３からの排水管４が収納されてなる洗面化粧台のキャビネットの構造において、キャビネット本体１の前面を開閉する前面扉がキャビネット本体１内に出し入れ自在に収納される引出し５の前板６を構成しており、引出し５にはキャビネット本体１内の排水管４を避けるための凹部７が設けられ、この凹部７内に正方形或いは長方形とした引出し５の底板１０の角部１０ａが位置すると共にこの角部１０ａが排水管４のトラップ部分４ａの下方に挿入され、キャビネット本体１の蹴込み部８に別の引出し５´を出し入れ自在に収納し、蹴込み板９がこの別の引出し５´の前板を兼ねるようにしたことを特徴としており、このように構成することで、キャビネット本体１全体が引出し構造となり、キャビネット本体１内への物の収納動作を楽に行うことができ、また、洗面ボウル３の前部３ａがキャビネット本体１の前方へ大きく突出している場合でもキャビネット本体１内への収納がしづらいという不満を解消できるようになる。さらに、引出し５に設けた凹部７によって排水管４に当たらないようにしながら引出し５をキャビネット本体１内に収納できるので、引出し５の奥行きをキャビネット本体１の奥行きに近い寸法まで広げることが可能となり、キャビネット本体１を奥まで有効に使用できるようになる。また、上記キャビネット本体１の蹴込み部８に別の引出し５′を出し入れ自在に収納しているので、本来、デッドスペースであるキャビネット本体１の下部の蹴込み部８を収納部として有効に利用でき、キャビネット全体の収納量を更に増やすことができる。また、キャビネット本体１の前面扉が引出し５の前板６を兼ねると共に蹴込み板９が別の引出し５´の前板を兼ねているので、引出し５及び別の引出し５´の部品数を削減でき、部材の合理化を図ることができる。また、引出し５の凹部７内には底板１０の角部１０ａが位置すると共にこの角部１０ａが排水管４のトラップ部分４ａの下方に挿入されたので、側板１１のみを排水管４を避ける構造にするだけでよく、底板１０の加工が不要となり、その分だけコストを削減することができる。
【０００６】
また上記引出し５の前板６が引出し５を前方側に引き出した際に起倒自在となるように構成されているのが好ましく、この場合、引出し５を引き出した際に前板６を前方に倒すことによって引出し５内の収納物の出し入れが一層容易となる。
【０００７】
【発明の実施の形態】
以下、本発明の実施の形態の例（本例）を説明すると、図１に示すように前方が開口したキャビネット本体１の上部には洗面化粧台２が配設され、キャビネット本体１内には洗面ボウル３からの排水管４（Ｓトラップ）が設置されている。なお、図１は本発明の前提の例を説明する図面である。
【０００８】
キャビネット本体１は、前方に開口した箱形状をしており、その内部に引出し５が前方側に出し入れ自在に収納されている。なお、キャビネット本体１の下部は蹴込み部８となっており、排水管４は蹴込み部８を貫通して床排水口に配管されている。
【０００９】
キャビネット本体１内に収納される引出し５は、上方に開口し、前板６と底板１０と左右の側板１１と背板１２とからなる。引出し５の前板６はキャビネット本体１の前面開口部と同じ大きさをしており、この前面開口部を開閉する前面扉を兼用している。前板６には取っ手２０が設けられている。なお引出し５は、例えばスライドレール、或いはころ等によって前後方向にスライド自在に支持されてもよいものである。
【００１０】
引出し５の奥側コーナー部には、キャビネット本体１内の排水管４を避けるようにして凹部７が形成されている。この前提の例では、底板１０の奥側コーナー部に平面略Ｌ字状の切り欠き１３が形成されていると共に、この切り欠き１３に沿って側板１１が内側に向けて平面視略Ｌ字状に屈曲形成されており、この凹部７によって引出し５が排水管４に当たらないようにしてある。また、引出し５の奥行きは、上記凹部７が設けられている部分を除いて、キャビネット本体１の奥行きに近い寸法を有しており、これにより引出し５の収納量が十分に確保されている。
【００１１】
しかして、キャビネット本体１全体を引出し構造とし、キャビネット本体１の前面扉を兼ねる引出し５の前板６を前方に引き出すようにしたから、キャビネット本体１の奥に物を収納する場合とか、洗面ボウル３の前部３ａがキャビネット本体１の前方へ大きく突出している場合でも、楽な姿勢で収納動作が行えるようになる。しかも、引出し５には排水管４を避けるように凹部７が設けられているので、排水管４に当たらないようにしながら引出し５をキャビネット本体１内に収納できるようになる。従って、引出し５部分の奥行きをキャビネット本体１の奥行きに近い寸法まで広げることが可能となり、キャビネット本体１を奥まで有効に使用できる結果、引出し５の十分な収納量を確保でき、使用者にとってきわめて便利なものとなる。つまり、従来では、排水管４の存在等によって、洗面ボウル３の下部のキャビネット本体１を引出し構造とすると収納量が少なくなり、使い難くなると考えられていたが、本発明の引出し構造とすることによって、引出し５の奥行きが多くとれて、収納量を十分に確保でき、洗面ボウル３の前部３ａも邪魔にならずに、物の出し入れがしやすくなるものである。
【００１２】
そのうえ、キャビネット本体１の前面扉が引出し５の前板６を兼ねているので、引出し５の部品数を削減でき、部材の合理化を図ることができ、コスト的にも有利となる。
【００１３】
なお、前提の例のように引出し５の底板１０の奥側コーナー部に切り欠き１３を設ける場合は、その加工が難しくコストアップを招くことから、本発明の実施の形態の例では、図２に示すように、引出し５の底板１０を正方形或いは長方形とし、その角部１０ａを排水管４のトラップ部分４ａの下方に挿入するようにしている。この場合、側板１１のみを排水管４を避ける構造にするだけでよく、底板１０の加工が不要となり、その分だけコストを削減することができる。
【００１４】
図３は他の実施形態を示している。この実施形態では、引出し５の前板６が引出し５を前方側に引き出した際に起倒自在となるように構成されており、これにより引出し５内の収納物の出し入れが一層容易になり、さらに、前板６と洗面ボウル３の前部３ａとの間の隙間Ｄ′が大きくなるので、洗面ボウル３の前部３ａがキャビネット本体１の前方へ大きく突出してキャビネット本体１内への収納がしづらいという不満を解消できるようになる。ここで、前板６を起倒自在にする構造の一例を図４及び図５に示す。引出し５の前板６及び側板１１は、例えば図５（ａ）（ｂ）に示すローラー金具１５とこれに指し込まれる差し込み金具１６とからなるローラーキャッチャー１４により係合・離脱自在となっており、さらに、引出し５の前板６及び底板１０は、図５（ｃ）（ｄ）に示すように前後に１２０°程度の角度Ｄまで開閉可能なＬ形金具１７を用いて回動自在に連結されている。しかして、引出し５を引き出した際に前板６をある程度の力で引っ張ると、ローラーキャッチャー１４が離脱して前板６を図４（ｃ）のように倒すことができると同時に、Ｌ形金具１７によって前板６の斜め前方への傾斜状態が保持されるので、引出し５への物の出し入れ操作が一層しやすくなる。
【００１５】
また図６に示すように本発明の実施の形態の例では、キャビネット本体１の蹴込み部８に別の引出し５′を出し入れ自在に収納し、蹴込み板９がこの引出し５′の前板を兼ねるようにしたものである。キャビネット本体１の下部の蹴込み部８は、本来デッドスペースであるが、ここに引出し５′を設けることによって、蹴込み部８を収納部として有効に利用できると共に、蹴込み板９が引出し５′の前板を兼ねることによって引出し５′の部品数の削減を図ることができるようになる。なお、この蹴込み部８に収納される引出し５′は、前記キャビネット本体１内に収納される引出し５と略同じ構造をしており、引出し５′の奥側コーナー部には排水管を避けるための凹部７′が形成されており、これにより、引出し５′の奥行きを確保しながら引出し５′が排水管に当たらないようにすることができ、蹴込み部８の奥を有効に利用できるものとなる。
【００１６】
【発明の効果】
上記のように本発明のうち請求項１記載の発明は、前方が開口したキャビネット本体の上部に洗面化粧台が配設され、キャビネット本体内に洗面ボウルからの排水管が収納されてなる洗面化粧台のキャビネットの構造において、キャビネット本体の前面を開閉する前面扉がキャビネット本体内に出し入れ自在に収納される引出しの前板を構成しており、引出しにはキャビネット本体内の排水管を避けるための凹部が設けられているから、キャビネット本体全体を引出し構造にすることで、キャビネット本体内への物の収納動作を楽に行うことができ、また、洗面ボウルの前部がキャビネット本体の前面よりも前方へ大きく突出している場合でもキャビネット本体内への収納がしづらいという不満を解消できるようになる。しかも、引出しに設けた凹部によって排水管に当たらないようにしながら引出しをキャビネット本体内に収納できるので、引出し部分の奥行きをキャビネット本体の奥行きに近い寸法まで広げることが可能となり、キャビネット本体を奥まで有効に使用できる結果、引出しの十分な収納量を確保でき、使用者にとってきわめて便利なものとなる。また、上記キャビネット本体の蹴込み部に別の引出しを出し入れ自在に収納しているので、本来、デッドスペースであるキャビネット本体の下部の蹴込み部を収納部として有効に利用でき、キャビネット全体の収納量を更に増やすことができる。また、キャビネット本体の前面扉が引出しの前板を兼ねると共に蹴込み板が別の引出しの前板を兼ねているので、引出し及び別の引出しの部品数を削減でき、部材の合理化を図ることができるものである。また、引出しの凹部内には底板の角部が位置すると共にこの角部が排水管のトラップ部分の下方に挿入されたので、側板のみを排水管を避ける構造にするだけでよく、底板の加工が不要となり、その分だけコストを削減することができる。
【００１７】
また請求項２記載の発明は、請求項１記載の効果に加えて、引出しの前板が引出しを前方側に引き出した際に起倒自在となるように構成されているから、引出しを引き出した際に前板を前方に倒すことによって引出し内の収納物の出し入れが一層容易となる。
【図面の簡単な説明】
【図１】  本発明の前提の例を示し、（ａ）はキャビネットの側面断面図、（ｂ）は引出しと排水管の配置状態を説明する斜視図、（ｃ）は（ｂ）の平面図、（ｄ）は引出しの底板の平面図である。
【図２】  本発明の実施の形態の例を示し、（ａ）は引出しと排水管の配置状態を説明する斜視図、（ｂ）は（ａ）の平面図である。
【図３】  （ａ）〜（ｃ）は本発明の実施の形態の他例を示す側面図である。
【図４】  （ａ）は本発明の実施の形態の他例を示す斜視図、（ｂ）は引出しの前板を起こした状態の側面図、（ｃ）は前板を斜め前方に倒した状態の側面図である。
【図５】（ａ）はローラー金具の斜視図、（ｂ）は差し込み金具の斜視図、（ｃ）はＬ形金具の斜視図、（ｄ）はＬ形金具を最も開いた状態の側面図である。
【図６】  本発明の実施の形態の例を示し、（ａ）は蹴込み部の引出しを開いた状態の斜視図、（ｂ）は引出しの斜視図、（ｃ）（ｄ）は引出しの出し入れ動作を説明する側面図である。
【符号の説明】
１ キャビネット本体
２ 洗面化粧台
３ 洗面ボウル
４ 排水管
５，５′ 引出し
６ 前板
７ 凹部
８ 蹴込み部
９ 蹴込み板
【図１】
0003642191.tif 000002
【図２】
0003642191.tif 000003
【図３】
0003642191.tif 000004
【図４】
0003642191.tif 000005
【図５】
0003642191.tif 000006
【図６】
0003642191.tif 000007